(57)【要約】【課題】シールドの振れや飛散を防止するシールドの固定具を提供する。【解決手段】本発明のシールド２００の固定具４００は、オープンフェイス型のヘルメット１００に装着されるシールドの固定具であって、固定具４００は、一方の端部がシールド２００の側部に連結され、他方の端部はヘルメット１００の前方側部に着脱可能に連結される。これにより、オートバイ等の搭乗中にシールド２００の内側に風の巻き込みが生じても、シールド２００が振れたり、飛散したりすることを防止することができる。【選択図】図１
2014055395.tif 000002
【特許請求の範囲】
【請求項１】
ヘルメットのオープンフェイス部を覆い、シールドの上部に設けられたスナップボタンの一方の係止片と、前記ヘルメットにおける前記オープンフェイス部の上方に設けられたスナップボタンの他方の係止片と、を連結することで前記ヘルメットに装着される前記シールドの固定具であって、
前記固定具は、一方の端部が前記シールドの側部に連結され、他方の端部は前記ヘルメットの前方側部に着脱可能に連結されるシールドの固定具。
【請求項２】
前記ヘルメットの係止片と、前記シールドの係止片と、は直接又は開閉機構を介して連結される請求項１に記載のシールドの固定具。
【請求項３】
前記シールドは、前記ヘルメットのオープンフェイス部の略全域を覆う請求項１又は２に記載のシールドの固定具。
【請求項４】
前記固定具は帯状部を備え、
前記帯状部の端部にスナップボタンの一方の係止片が設けられており、前記一方の係止片は、予め前記ヘルメットのオープンフェイス部に沿って設けられたスナップボタンの他方の係止片に連結される請求項１乃至３のいずれか１項に記載のシールドの固定具。
【請求項５】
前記帯状部における前記スナップボタンの一方の係止片が設けられる部位周辺に補強部が設けられている請求項４に記載のシールドの固定具。
【請求項６】
伸縮部を備える請求項１乃至５のいずれか１項に記載のシールドの固定具。
【請求項７】
長さ調整部を備える請求項１乃至６のいずれか１項に記載のシールドの固定具。
【請求項８】
請求項１乃至７のいずれか１項に記載のシールドの固定具と、
上部にスナップボタンの一方の係止片が設けられたシールドであって、ヘルメットのオープンフェイス部を覆い、前記シールドの係止片と、前記ヘルメットにおける前記オープンフェイス部の上方に設けられたスナップボタンの他方の係止片と、を連結することで前記ヘルメットに装着される前記シールドと、
を備えるシールドセット。
【請求項９】
前記ヘルメットの係止片と前記シールドの係止片とを連結する開閉機構を備える請求項８に記載のシールドセット。
【発明の詳細な説明】
【技術分野】
【０００１】
本発明は、シールドの固定具及びシールドセットに関し、特にオートバイ等に搭乗する際に用いる、オープンフェイス型のヘルメットに装着されるシールドの固定具及びシールドセットに関する。
【背景技術】
【０００２】
オートバイ等に搭乗する際に用いるヘルメットとして、従来からオープンフェイス型のヘルメットが販売されている。このようなヘルメットに所謂コンペティションシールドやバブルシールド等のシールドが装着されることが多い。このとき、特許文献１に開示されているように、開閉機構を介してシールドをヘルメットに装着することで、開閉可能にシールドをヘルメットに装着する技術が開発されている。
ちなみに、特許文献２には、伸縮性のベルトをシールドの両端に設け、当該ベルトをヘルメットの後半側で抱持させる技術が開示されている。
【先行技術文献】
【特許文献】
【０００３】
【特許文献１】実用新案登録第３１２８４４７号公報
【特許文献２】実用新案登録第３０４９２０７号公報
【発明の概要】
【発明が解決しようとする課題】
【０００４】
このようにオープンシールド型のヘルメットにシールドを装着する場合、当該ヘルメットのオープンシールド部に沿って予め設けられたスナップボタンの係止片を用いてシールドをヘルメットに装着することが一般的である。
【０００５】
つまり、局部的にシールドをヘルメットに固定することになり、オートバイ等の搭乗中に振り向いたりしてシールドの内部に風の巻き込みが生じると、シールドが振れたり、シールドが飛散したりする可能性がある。特に特許文献１の技術のように、開閉機構を介してシールドをヘルメットに装着する場合、シールドの振れは当該開閉機構の摩耗を誘引する。
【０００６】
本発明の目的は、このような問題を解決するためになされたものであり、シールドの振れや飛散を防止するシールドの固定具及びシールドセットを提供することである。
【課題を解決するための手段】
【０００７】
本発明に係るシールドの固定具は、オープンフェイス型のヘルメットに装着されるシールドの固定具であって、前記固定具は、一方の端部が前記シールドの側部に連結され、他方の端部は前記ヘルメットの前方側部に着脱可能に連結されることを特徴とする。
【０００８】
前記固定具は帯状部を備え、前記帯状部の端部にスナップボタンの一方の係止片が設けられており、前記一方の係止片は、予め前記ヘルメットのオープンフェイス部に沿って設けられたスナップボタンの他方の係止片に連結されること、が好ましい。
【０００９】
前記帯状部における前記スナップボタンの一方の係止片が設けられる部位周辺に補強部が設けられていること、が好ましい。
【００１０】
伸縮部を備えること、が好ましい。
長さ調整部を備えること、が好ましい。
【発明の効果】
【００１１】
以上、説明したように、本発明によると、シールドの振れや飛散を防止するシールドの固定具及びシールドセットを提供することができる。
【図面の簡単な説明】
【００１２】
【図１】本発明に係る実施の形態の固定具と、ヘルメットと、シールドと、開閉機構と、を概略的に示す構造図である。
【図２】本発明に係る実施の形態の固定具の使用形態を示す図である。
【図３】本発明に係る実施の形態の固定具を概略的に示す図である。
【図４】本発明に係る実施の形態の固定具を概略的に示す部分拡大図である。
【図５】本発明に係る実施の形態の固定具の異なる使用形態を示す図である。
【発明を実施するための形態】
【００１３】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１４】
本実施の形態に係るシールドの固定具は、図１に示すヘルメット１００に装着されるシールド２００を固定するために用いられる。ちなみに、本実施の形態のシールド２００は、開閉機構３００を介してヘルメット１００に装着されている。
【００１５】
ヘルメット１００は、オートバイや乗用車、飛行機等の風圧や振動を受ける乗り物に搭乗する際に用いられるオープンフェイス型ヘルメットである。すなわち、ヘルメット１００は、顔面部分がオープンフェイス部１１０から露出するように当該オープンフェイス部１１０が形成されている。ヘルメット１００の外表部には、オープンフェイス部１１０に沿ってスナップボタンの一方の係止片（例えば雄型片）１２０（１２０ａ、１２０ｂ）が複数設けられている。本実施の形態では、オープンフェイス部１１０の上方に３個の係止片１２０ａが配置されている。そして、オープンフェイス部１１０の左右の側方に１個ずつ係止片１２０ｂが配置されている。これらの係止片１２０は、一般的なオープンフェイス型ヘルメットであれば、従来からの慣習でコンペティションシールドを直接装着するために設けられている。
【００１６】
シールド２００は、例えばコンペティションシールドやバブルシールド等である。本実施の形態のシールド２００は、バブルシールドとして説明する。シールド２００の上縁部には、ヘルメット１００のオープンフェイス部１１０の上方に設けられた係止片１２０に対応するように、スナップボタンの他方側の係止片（例えば雌型片）２１０が設けられている。これにより、シールド２００の係止片２１０をヘルメット１００の係止片１２０に嵌め合わせることで、シールド２００をヘルメット１００に直接装着することができる。又は後述するように、シールド２００側の係止片２１０を、開閉機構３００の係止片に嵌め合わせることで、シールド２００をヘルメット１００に開閉機構３００を介して装着することができる。
【００１７】
開閉機構３００は、図１に示すように、第１の湾曲片３１０と、第２の湾曲片３２０と、を備える。第１の湾曲片３１０は、オープンフェイス部１１０の上方位置における外表面の形状に略沿うように湾曲する円弧部材である。第１の湾曲片３１０の内側面には、ヘルメット１００のオープンフェイス部１１０の上方に設けられた係止片１２０ａに対応するように、スナップボタンの他方側の係止片（例えば雌型片）３１１が設けられている。第１の湾曲片３１０の内側面における左右両端部には、それぞれ吸盤３１２が設けられている。第１の湾曲片３１０の外側面における上辺近傍には、外方に向かって突出する凸部３１３が形成されている。
【００１８】
第２の湾曲片３２０は、第１の湾曲片３１０の外側面に沿うように湾曲する円弧部材である。すなわち、第２の湾曲片３２０は、第１の湾曲片３１０と同一平面上に配置することができる。このとき、第１の湾曲片３１０の上方に第２の湾曲片３２０が配置されることになる。第２の湾曲片３２０の左右両端部は、それぞれ第１の湾曲片３１０の端部に回転可能にピン連結されている。第２の湾曲片３２０の外側面には、シールド２００の係止片２１０に対応するように、一方の係止片（例えば雄型片）３２１が設けられている。第２の湾曲片３２０の内側面における上辺近傍には、内方に向かって突出する凸部３２２が形成されている。この第２の湾曲片３２０の凸部３２２が第１の湾曲片３１０の凸部３１３に載置されることで、図２に示すように、第１の湾曲片３１０と第２の湾曲片３２０とが位置固定され、シールド２００が閉じられた状態、即ちオープンフェイス部１１０を覆う状態に配置される。
【００１９】
このような開閉機構３００は、第１の湾曲片３１０の係止片３１１をヘルメット１００の係止片１２０に嵌め合わせることで、開閉機構３００をヘルメット１００に装着する。このとき、第１の湾曲片３１０の端部に設けられた吸盤３１２がヘルメット１００の外表面に吸着するので、開閉機構３００をより強固にヘルメット１００に装着することができる。
【００２０】
しかし、上述の構成では、オートバイ等に搭乗中にシールドの内側に風の巻き込みが生じると、シールド２００が振れたり、飛散したりする可能性がある。そこで、本実施の形態では、図２に示すように、ヘルメット１００とシールド２００とを固定具４００を介して連結する。
【００２１】
固定具４００は、図３に示すように、第１のベルト部４１０と、第２のベルト部４２０と、を備える。第１のベルト部４１０は、例えばナイロン繊維等から成る切断可能なベルト部材４１１を備える。このベルト部材４１１の一方の面（シールド２００に接合される側の面）に両面接着テープ等の接合部材４１２が設けられている。ちなみに、本実施の形態の第１のベルト部４１０は、二枚のベルト部材４１１を備え、二枚のベルト部材４１１が重なるように配置されている。そして、二枚のベルト部材４１１の向かい合う面にそれぞれ接合部材４１２が設けられている。二枚のベルト部材４１１の一方の端部は、第２のベルト部４２０に接合されている。
【００２２】
第２のベルト部４２０は、例えばゴム等から成る伸縮可能なベルト部材４２１を備える。このベルト部材４２１は、図３及び４に示すように、折り返されている。そして、ベルト部材４２１の解放端側で第１のベルト部４１０の二枚のベルト部材４１１が挟み込まれ、相互に接合されている。第２のベルト部４２０は、スナップボタンの他方側の係止片（例えば雌型片）４２２を備える。ここで、図４に示すように、二枚のベルト部材４２１の間に布等の補強部材４２３を挿入して固定し、当該補強部材４２３で補強された部位に係止片４２２を設けることが好ましい。その結果、係止片４２２が設けられる部位周辺が補強され、容易に係止片４２２が外れたりしない。
【００２３】
このような固定具４００は、使用する際に以下に説明するように、事前に準備される。先ず、図２に示すように、シールド２００が閉じた状態で、例えば固定具４００の係止片４２２をヘルメット１００の係止片１２０ｂに嵌め合わせて、固定具４００をヘルメット１００に連結する。そして、固定具４００の第１のベルト部４１０の端部をシールド２００の側部の適当な部位に連結した際に、固定具４００の第２のベルト部４２０に収縮力が作用するように、第１のベルト部４１０を切断して当該第１のベルト部４１０の長さを調整する。ここで、当該適当な部位は、シールド２００における、固定具４００の係止片４２２を嵌め合わせたヘルメット１００の係止片１２０ｂが設けられている側の側部に設定される。つまり、固定具４００の係止片４２２をヘルメット１００の左側下方位置に設けられた係止片１２０ｂに嵌め合わせた場合、当該適当な部位はシールド２００の左側の側部下方領域に設定される。逆に、固定具４００の係止片４２２をヘルメット１００の右側下方位置に設けられた係止片１２０ｂに嵌め合わせた場合、当該適当な部位はシールド２００の右側の側部下方領域に設定される。
【００２４】
次に、第１のベルト部４１０の長さの調整が終了すると、固定具４００の係止片４２２をヘルメット１００の係止片１２０ｂから取り外し、上述した適当な部位を第１のベルト部４１０の二枚のベルト部材４１１で挟み込み、当該適当な部材に接合部材４１２を介して固定具４００を連結する。これにより、固定具４００のシールド２００への連結が終了する。
【００２５】
このようにシールド２００に一方の端部が連結された固定具４００は、図２に示すように、シールド２００を閉じた状態で、利用者が若干固定具４００を引っ張って第２のベルト部４２０を伸張させて、固定具４００の係止片４２２をヘルメット１００の係止片１２０ｂに嵌め込み、固定具４００の他方の端部をヘルメット１００に連結する。これにより、オートバイ等の搭乗中にシールド２００の内側に風の巻き込みが生じても、シールド２００が振れたり、飛散したりすることを防止することができる。特に、本実施の形態の固定具４００における第２のベルト部４２０は、伸縮可能なベルト部材を備え、伸張した状態でヘルメット１００に連結される。そのため、ベルト部材に収縮力が作用した状態でシールド２００を固定することができ、シールド２００の振れをより確実に防止することができる。これにより、開閉機構３００におけるシールド２００の振れに起因する摩耗を低減することができる。
【００２６】
一方、シールド２００を、図５に示すように、開いた状態とする際には、固定具４００の係止片４２２をヘルメット１００の係止片１２０ｂから取り外す。このように固定具４００の他方の端部は、ヘルメット１００に着脱可能に連結されるので、シールド２００の開閉動作を妨げない。
【００２７】
本実施の形態では、ヘルメット１００に予め設けられている係止片１２０ｂを用いて、固定具４００の他方の端部を着脱可能に連結する。そのため、ヘルメットにスナップボタンの新たな係止片を設ける必要がなく、特に大掛かりな作業を必要とせずに、固定具４００を利用することができ、しかも効率的である。
【００２８】
また、固定具４００は、シールド２００の側部とヘルメット１００のオープンフェイス部１１０の右側下方位置又は左側下方位置とを連結するので、オートバイ等に搭乗する際に視界を妨げない。また、固定具４００は比較的小さい部材であるので、目立ち難く、ヘルメット全体の意匠性を妨げない。ちなみに、固定具４００の係止片４２２の皿部分に模様等の装飾を施すと、固定具４００の意匠性を向上させることができる。
【００２９】
以上、本発明に係るシールドの固定具の実施の形態を説明したが、上記の構成に限らず、本発明の技術的思想を逸脱しない範囲で、変更することが可能である。
【００３０】
上記実施の形態では、開閉機構３００を介してシールド２００をヘルメット１００に装着したが、ヘルメット１００の係止片１２０ａに直接にシールド２００の係止片２１０を嵌め合わせて、シールド２００をヘルメット１００に装着する場合も、同様に用いることができる。
【００３１】
上記実施の形態では、第１のベルト部４１０を両面接着テープ等の接合部材４１２を用いてシールド２００に接合したが、この限りでない。例えば、接着剤やリベット等を用いて接合しても良い。
【００３２】
上記実施の形態では、第１のベルト部４１０を切断して長さを調整しているが、この限りでない。例えば第１のベルト部４１０と第２のベルト部４２０との連結部にスライド機構等の長さ調整機構を設けて、第１のベルト部４１０の第２のベルト部４２０への連結部が、第２のベルト部４２０に対して移動可能な構成とされていても良い。
【００３３】
上記実施の形態では、固定具４００の係止片４２２をヘルメット１００に予め設けられている係止片１２０ｂに連結したが、この限りでない。固定具４００の係止片４２２を連結する係止片を別途、ヘルメット１００に設けても良い。
【００３４】
上記実施の形態では、スナップボタンを用いて第２のベルト部４２０をヘルメット１００に連結したが、この限りでない。例えば第２のベルト部４２０は、所謂面ファスナを用いてヘルメット１００に連結しても良い。
【００３５】
上記実施の形態では、第２のベルト部４２０のベルト部材４２１をゴム等の伸縮可能な部材で構成したが、この限りでない。例えば第２のベルト部４２０のベルト部材４２１は革製等でも良く、この場合、表面に装飾を施すことで固定具４００の意匠性を向上させることができる。
【００３６】
本実施の形態では、第１のベルト部４１０と、第２のベルト部４２０と、を備えるが、一つのベルト部だけでも良く、要するに、ベルト状の固定具４００の一方の端部をシールド２００に連結でき、他方の端部をヘルメット１００に着脱可能に連結できれば良い。
【符号の説明】
【００３７】
１００  ヘルメット、１１０  オープンフェイス部
１２０（１２０ａ、１２０ｂ）  係止片
２００  シールド、２１０  係止片
３００  開閉機構
３１０  第１の湾曲片、３１１  係止片、３１２  吸盤、３１３  凸部
３２０  第２の湾曲片、３２１  係止片、３２２  凸部
４００  固定具
４１０  第１のベルト部、４１１  ベルト部材、４１２  接合部材
４２０  第２のベルト部、４２１  ベルト部材、４２２  係止片、４２３  補強部材
【図１】
2014055395.tif 000003
【図２】
2014055395.tif 000004
【図３】
2014055395.tif 000005
【図４】
2014055395.tif 000006
【図５】
2014055395.tif 000007